(57)【要約】【課題】建設汚泥を効率良く処理場に搬入するとともに、汚泥中の有害物質の量に応じて、適正な処理場に搬入し、汚泥処理を行うことができる処理管理システムと処理管理方法を提供する。【解決手段】建設汚泥を積載する車両の位置を示す測位信号を発生し、且つ無線通信を介して送られた運搬先を示す指令信号を受信する車両端末３と、インターネットを介して指令信号を車両端末３に送信する管理サーバ７と、車両に積載された汚泥に対し一次Ｘ線を照射し、汚泥から発生する蛍光Ｘ線を検出して汚泥内の有害金属の含有量を示す検出信号を発生する携帯型の蛍光Ｘ線分析装置１と、蛍光Ｘ線分析装置１から出力される検出信号を入力し、インターネットを介して管理サーバ７に検出信号を送信する管理端末２とを備える。【選択図】図１
2020200180.tif 000002
【特許請求の範囲】
【請求項１】
建設汚泥を積載する車両に装着され、該車両の位置を示す測位信号を発生し、且つ無線通信を介して送られた運搬先を示す指令信号を受信するする車両端末と、インターネットに接続され、該指令信号を該車両端末に送信する管理サーバと、を備えた建設汚泥の処理管理システムにおいて、
該車両に積載された該汚泥に対し一次Ｘ線を照射し、該汚泥から生成する蛍光Ｘ線を検出して該汚泥内の有害金属の含有量を示す検出信号を生成する携帯型の蛍光Ｘ線分析装置と、
該蛍光Ｘ線分析装置から出力される検出信号を入力し、インターネットを介して該管理サーバに該検出信号を送信する管理端末と、
該管理サーバ内に設けられ、該管理端末から送信された該蛍光Ｘ線分析装置の該検出信号を受信し、該検出信号の有害金属の含有量と予め設定された閾値とを比較し、該汚泥の汚染レベルを判定する汚染レベル判定手段と、
該管理サーバ内に設けられ、該汚染レベル判定手段が判定した該汚泥の汚染レベルに基づき決定された該汚泥の処理場を決定する処理場決定手段と、
を備え、該管理サーバは、該処理場決定手段が決定した該処理場の情報を、該車両端末に送信することを特徴とする建設汚泥の処理管理システム。
【請求項２】
前記管理端末にカメラが設けられ、建設汚泥を積載する車両の車両番号を該カメラが撮影し、撮影した際の画像信号に基づき、該車両の該車両番号データを生成する画像認識手段が、該管理端末に設けられたことを特徴とする請求項１記載の建設汚泥の処理管理システム。
【請求項３】
前記管理サーバの記憶部或いは別の記憶部に、車両と積荷に関するデータを記憶する車両・積荷データベース、運転者に関するデータを記憶する運転者データベース、及び汚泥中の有害金属の分析結果を記憶する分析結果データベースが設けられたことを特徴とする請求項１記載の建設汚泥の処理管理システム。
【請求項４】
前記車両端末に、車両の移動位置を測位し、測位した位置を、ディスプレイ上に表示するＧＰＳ測位部が設けられ、汚泥の分析結果に基づき決定された処理場の位置を、該車両の位置とともに、該ディスプレイ上に表示することを特徴とする請求項１記載の建設汚泥の処理管理システム。
【請求項５】
建設汚泥を積載する車両に装着され、該車両の位置を示す測位信号を発生し、且つ無線通信を介して送られた運搬先を示す指令信号を受信するする車両端末と、インターネットに接続され、該指令信号を該車両端末に送信する管理サーバと、を備えた建設汚泥の処理管理システムを用いて実施する処理管理方法において、
該車両に積載された該汚泥に対し一次Ｘ線を照射し、該汚泥から生成する蛍光Ｘ線を検出して該汚泥内の有害金属の含有量を分析し算出する蛍光Ｘ線分析ステップと、
該蛍光Ｘ線分析ステップで算出された該有害金属の含有量と、予め設定された閾値とを比較し、該汚泥の汚染レベルを判定する汚染レベル判定ステップと、
判定された該汚染レベルに基づき該汚泥の処理場を決定する処理場決定ステップと、
該処理場決定ステップで決定した該処理場の情報を、該管理サーバから該車両端末に送信する処理場送信ステップと、
を含むことを特徴とする処理管理方法。
【請求項６】
前記汚染レベル判定ステップで判定する汚染レベルは、前記管理サーバの記憶部に各有害金属ごとに予め記憶される、含有量の上限値、下限値を含む判定基準データに基づき、複数のレベルの何れかに判定されることを特徴とする請求項５記載の処理管理方法。
【請求項７】
前記処理場決定ステップで決定される汚泥の処理場は、前記汚染レベル判定ステップで判定された汚染レベルが最も悪いレベルの場合、汚泥の再生処理は行わず、最終処分場に搬入するように、該汚泥の処理場が決定されることを特徴とする請求項６記載の処理管理方法。
【発明の詳細な説明】
【技術分野】
【０００１】
本発明は、建設汚泥の処理管理方法と処理管理システムに関し、特に、建設現場などから排出された建設汚泥を、汚泥の汚染状態に応じて処理場に選択して運搬し、効率良くリサイクル処理などを行うことができる、処理管理方法と処理管理システムに関する。
【背景技術】
【０００２】
建設現場から排出される建設汚泥は、原則的に、管理票（マニフェスト伝票）を付して処分場に搬入し、処理されるが、適正な処分場で、適正な処理が行われず、廃棄処理や埋め戻し処理などが不正に行われる場合があった。
【０００３】
このため、従来、建設現場から排出される建設汚泥などの運搬経路を、適正に監視し、適正な処分場にそれらの建設汚泥を搬入し、処理する処理管理システムが、下記特許文献１などにより、提案されている。
【先行技術文献】
【特許文献】
【０００４】
【特許文献１】特開２００４−２３１３８７号公報
【発明の概要】
【発明が解決しようとする課題】
【０００５】
この建設汚泥の処理管理システムは、建設現場から排出される建設汚泥を運搬する車両に、ＧＰＳ測位端末装置を設置し、ＧＰＳによって車両の位置情報を計測しながら、無線通信網を介して、端末装置からネットワークセンターに位置情報を送信する。さらに、処理管理システムは、車両の車速を検出する車速センサ、積荷の重量を検出する重量センサが車両に装着され、建設汚泥を運搬する車両が、建設汚泥を搬送し、荷下ろしする場所などの情報を、測位端末装置から、ネットワークセンターに送信し、建設汚泥を運搬する車両を監視するように構成される。
【０００６】
しかし、建設現場から排出される建設汚泥には、例えば自然由来の砒素、鉛、水銀、カドミウムなどの有害物質が含まれる場合があり、仮に、これらの有害物質が建設汚泥中に含まれる場合、通常の建設汚泥の処分場とは別の処分場に搬入するか、或いは処理コストの高価な最終処分場に搬入する必要がある。
【０００７】
しかるに、従来の処理管理システムでは、建設汚泥中にどのような有害物質が含まれるか、搬入時には不明なため、所定の公定分析を行う必要があった。このため、公定分析に長時間を必要とし、建設汚泥中の有害物質の有無に応じて、適正な処分場に、建設汚泥を効率良く、迅速に搬入して、適正な処理を行うことができないという課題があった。
【０００８】
本発明は、上述の課題を解決するものであり、建設汚泥を効率良く処理場に搬入するとともに、汚泥中の有害物質の量に応じて、適正な処理場に搬入し、汚泥処理を行うことができる処理管理システムと処理管理方法を提供することを目的とする。
【課題を解決するための手段】
【０００９】
本発明に係る建設汚泥の処理管理システムは、
建設汚泥を積載する車両に装着され、該車両の位置を示す測位信号を発生し、且つ無線通信を介して送られた運搬先を示す指令信号を受信する車両端末と、インターネットに接続され、該指令信号を該車両端末に送信する管理サーバと、を備えた建設汚泥の処理管理システムにおいて、
該車両に積載された該汚泥に対し一次Ｘ線を照射し、該汚泥から生成する蛍光Ｘ線を検出して該汚泥内の有害金属の含有量を示す検出信号を生成する携帯型の蛍光Ｘ線分析装置と、
該蛍光Ｘ線分析装置から出力される検出信号を入力し、インターネットを介して該管理サーバに該検出信号を送信する管理端末と、
該管理サーバ内に設けられ、該管理端末から送信された該蛍光Ｘ線分析装置の該検出信号を受信し、該検出信号の有害金属の含有量と予め設定された閾値とを比較し、該汚泥の汚染レベルを判定する汚染レベル判定手段と、
該管理サーバ内に設けられ、該汚染レベル判定手段が判定した該汚泥の汚染レベルに基づき決定された該汚泥の処理場を決定する処理場決定手段と、
を備え、該管理サーバは、該処理場決定手段が決定した該処理場の情報を、該車両端末に送信することを特徴とする。
【００１０】
この発明の建設汚泥の処理管理システムによれば、建設現場から排出された建設汚泥を積載した車両が、所定の場所に到着したとき、担当者が、携帯型の蛍光Ｘ線分析装置を用いて、当該汚泥の有害金属の含有量を計測し、該含有量の情報が管理端末を通して管理サーバに送られる。
【００１１】
管理サーバは、その汚染レベル判定手段が該汚泥の有害金属の含有量に基づき、該汚泥の汚染レベルを判定する。さらに、管理サーバの処理場決定手段が該汚染レベルに基づき該汚泥の処理場を決定し、その情報が車両端末に送信され、汚泥を積載した車両は当該処理場に向けて汚泥を搬送する。
【００１２】
これにより、建設汚泥中に含まれる有害物質の含有量に応じて決定された、適正な処理場に、効率良く建設汚泥を搬入して、適正な処理を行うことができる。また、携帯型の蛍光Ｘ線分析装置を用いて有害金属の含有量を計測するため、全ての車両の汚泥を、効率良く検査し、迅速に適正な処理場に搬入することができる。
【００１３】
ここで、上記管理端末が携帯端末から構成され、端末にカメラが設けられ、建設汚泥を積載する車両の車両番号を該カメラが撮影し、撮影した際の画像信号に基づき、該車両の該車両番号データを生成する画像認識手段を、該管理端末に設けることが好ましい。これによれば、担当者が、管理端末を用いて、建設汚泥を積載した車両の車両番号を撮影し、画像認識された車両番号データを管理サーバに簡単に送信することができる。車両番号を受信した管理サーバは、当該車両とそれを積載する建設汚泥の汚染レベルとを、適正に関連付けて記憶し、当該車両の車両端末に対し正確な処理場の情報を送信し、効率良く汚泥の行き先を管理することができる。
【００１４】
またここで、上記管理サーバの記憶部或いは別の記憶部に、車両と積荷に関するデータを記憶する車両・積荷データベース、運転者に関するデータを記憶する運転者データベース、及び汚泥中の有害金属の分析結果を記憶する分析結果データベースを設けることが好ましい。これによれば、管理サーバは、複数の車両に積載された建設汚泥を適正に管理し、汚泥中の有害金属の分析データを、効率良く適正に記憶し管理することができる。
【００１５】
またここで、上記車両端末には、車両の移動位置を測位し、測位した位置を、ディスプレイ上に表示するＧＰＳ測位部が設けられ、汚泥の分析結果に基づき決定された処理場の位置を、車両の位置とともに、車両端末のディスプレイ上に表示するように構成することができる。これによれば、車両の運転者は、車両端末のディスプレイを見ながら、処理場の位置を確認し、汚泥を適正な処理場に運搬することができる。
【００１６】
また、本発明の建設汚泥の処理管理方法は、
建設汚泥を積載する車両に装着され該車両の位置を示す測位信号を発生し、且つ無線通信を介して送られた運搬先を示す指令信号を受信するする車両端末と、インターネットに接続され、該指令信号を該車両端末に送信する管理サーバと、を備えた建設汚泥の処理管理システムを用いて実施する処理管理方法において、
該車両に積載された該汚泥に対し一次Ｘ線を照射し、該汚泥から生成する蛍光Ｘ線を検出して該汚泥内の有害金属の含有量を分析し算出する蛍光Ｘ線分析ステップと、
該蛍光Ｘ線分析ステップで算出された該有害金属の含有量と、予め設定された閾値とを比較し、該汚泥の汚染レベルを判定する汚染レベル判定ステップと、
判定された該汚染レベルに基づき該汚泥の処理場を決定する処理場決定ステップと、
該処理場決定ステップで決定した該処理場の情報を、該管理サーバから該車両端末に送信する処理場送信ステップと、
を含むことを特徴とする。
【００１７】
これにより、建設汚泥中に含まれる有害物質の含有量に応じて、適正な処理場を決定し、その処理場に、効率良く建設汚泥を搬入して、適正な処理を行うことができる。
【００１８】
ここで、上記処理管理方法において、上記汚染レベル判定ステップでは、管理サーバの記憶部に、各有害金属ごとに記憶される、含有量の上限値と下限値を含む判定基準データに基づき、汚染レベルを判定することができる。また、上記処理場決定ステップで決定される汚泥の処理場は、上記汚染レベル判定ステップで判定された汚染レベルが最も悪いレベルの場合、汚泥の再生処理は行わず、最終処分場に搬入するように、汚泥の処理場を決定することができる。
【発明の効果】
【００１９】
本発明の建設汚泥の処理管理システム及び処理管理方法によれば、建設汚泥中に含まれる有害物質の含有量に応じて、適正な処分場に、効率良く建設汚泥を搬入して、効率良く適正な処理を迅速に行うことができる。
【図面の簡単な説明】
【００２０】
【図１】本発明の一実施形態を示す建設汚泥の処理管理システムの全体構成図である。
【図２】管理サーバのブロック構成図である。
【図３】蛍光Ｘ線分析装置及び管理端末のブロック構成図である。
【図４】車両端末のブロック構成図である。
【図５】車両・積荷データベースの説明図である。
【図６】運転者データベースの説明図である。
【図７】分析結果データベースの説明図である。
【図８】処理場データベースの説明図である。
【図９】判定基準データテーブルの説明図である。
【図１０】建設汚泥の処理管理方法を示すフローチャートである。
【図１１】建設汚泥の処理管理方法を示すフローチャートである。
【発明を実施するための形態】
【００２１】
以下、本発明の一実施形態を図面に基づいて説明する。建設汚泥の処理管理システムは、図１に示すように、建設汚泥を積載する車両に装着され、車両の位置を示す測位信号を発生し、且つ無線通信を介して送られた運搬先（処理場）を示す指令信号（処理場の位置情報）を受信する車両端末３と、インターネットＩＮに接続され、指令信号を車両端末３に送信する管理サーバ７と、車両に積載された汚泥に対し一次Ｘ線を照射し、汚泥から生成する蛍光Ｘ線を検出して汚泥内の有害金属の含有量を示す検出信号を生成する携帯型の蛍光Ｘ線分析装置１と、蛍光Ｘ線分析装置１から出力される検出信号を入力し、インターネットＩＮを介して管理サーバ７に検出信号を送信する管理端末２と、を備えて構成される。
【００２２】
建設汚泥を積載して搬送する車両に、車両端末３が搭載される。車両端末３には、図４に示すように、車両の移動位置を測位し、測位した位置を、ディスプレイ３６上に表示するＧＰＳ測位部３７が設けられる。ＧＰＳ測位部３７は、ＧＰＳ信号の受信部及びＣＰＵを有する演算部を備え、少なくとも４個のＧＰＳ用人工衛星から送信される測位信号を受信し、その現在位置情報を三次元測位法により算出する。
【００２３】
車両端末３は、図４に示すように、ＣＰＵ３２を主要部とし、ＲＡＭ，ＲＯＭ等からなる記憶部３１、各種信号を入出力する入出力部３３、及び地図情報などを表示するディスプレイコントローラ３５及びディスプレイ３６を備えて構成される。記憶部３１には、ナビゲーション表示用の地図データなどが格納され、ＣＰＵ３２は、ディスプレイ３６に表示した地図上に、ＧＰＳ測位部３７のＧＰＳ信号から算出して現在位置を、表示する。また、車両端末３の記憶部３１には、汚泥の搬送先である、処理場とその位置情報が記録され、管理サーバ７で、処理場が決定されたとき、管理サーバ７から送信される処理場情報を車両端末３が受信し、当該処理場の位置を、ディスプレイ３６に表示した地図上に表示する。
【００２４】
なお、ナビゲーション用の地図を表示する機能を、削除して、記憶部３１に記憶するデータ量を削減することもできる。その場合、車両端末３が入力した搬入先を示す指令信号に基づき、搬入先処理場の名称等のみを、ディスプレイ３６に表示すればよい。
【００２５】
また、車両端末３は、携帯電話通信網ＫＭを介してインターネットＩＮに接続可能に構成され、携帯電話通信網ＫＭの基地局との間で無線通信を行うＲＦ回路３８、インターフェイス部３９、アンテナシステム等を備えている。また、車両端末３のＣＰＵ３２は、管理サーバ７から、積載する汚泥の行き先（荷下し先）を指示する指令信号（搬入先処理場の位置情報）が送られたとき、その指令信号の示す行き先（荷下し先）を、ディスプレイ３６上に表示するように処理する。車両が複数台ある場合、車両端末３は各々の車両に搭載され、各車両番号を含むＩＤが各車両端末３に付される。
【００２６】
さらに、建設汚泥を積載するトラック等の車両には、その汚泥の荷積み及び荷下しを検出する荷積・荷下検出器３４が設けられ、荷積・荷下検出器３４で検出された検出信号は、荷積み時または荷下し時に、入出力部３３を通して、車両端末３に入力される。
【００２７】
車両が、建設現場などで、建設汚泥を積載したとき、車両端末３から汚泥の荷積信号が、車両番号情報及びその積載日時情報とともに、携帯無線通信網ＫＭ、インターネットＩＮを介して、管理サーバ７に送信される。管理サーバ７では、この荷積信号に積荷ＩＤ（当該汚泥のＩＤとなる）が付され、データベース８に格納され、管理される。同様に、車両から汚泥が荷下しされたとき、その荷下信号が、車両番号情報、その位置情報、荷下日時情報とともに、携帯無線通信網ＫＭ、インターネットＩＮを介して、管理サーバ７に送信される。
【００２８】
なお、汚泥の荷積み及び荷下しを検出する荷積・荷下検出器３４を、車両に設置しない場合もあり、この場合、車両の積荷の重量測定値、ＧＰＳ測位部３７から得られた車両の測位情報（時間経過に伴う移動情報）、及び予め格納された各処理場の位置情報に基づき、車両の荷積み情報及び車両の荷下し情報を、生成する。
【００２９】
また、車両端末３には、運転者に装着されたウエアラブル端末から、近距離無線通信（ＩＥＥＥ８０２．１５１等で規格化）等を介して、送られた運転者の身体的データを受信し、運転者の運転時の身体的データとして取り込み、記録する機能を設けることができる。さらに、車両の速度、ハンドリングなど、走行状態を示す走行状態信号を入力し、走行状態データとして記録する機能を設けることもできる。
【００３０】
図１に示すように、建設汚泥の処理管理システムには、携帯型の蛍光Ｘ線分析装置１と、蛍光Ｘ線分析装置１から出力される検出信号を入力し、無線通信及びインターネットＩＮを介して管理サーバ７に検出信号を送信する管理端末２と、が設けられる。
【００３１】
蛍光Ｘ線分析装置１は、図３に示すように、Ｘ線管等のＸ線源１１から発生する一次Ｘ線を、汚泥に照射し、Ｘ線の照射に伴い汚泥から発生する蛍光Ｘ線を、半導体検出器１２で検出する。半導体検出器１２から出力される検出信号は、前置増幅器１３、比例増幅器１４により増幅され、波高分析器１５に入力される。波高分析器１５は、入力した検出信号のスペクトルを分析し、スペクトルに含まれる有害金属の特有のスペクトル波形を抽出する。そのスペクトル波形の位置と波形レベルから、有害金属とその含有量を示す分析信号を生成する。
【００３２】
有害金属としては、砒素（Ａｓ）、鉛（Ｐｂ）、カドニウム、水銀（Ｈｇ）等が検出可能であり、単位容量（Ｌ）当りの重量（ｍｇ）として分析信号が生成される。有害金属の含有量を示す分析信号（検出信号）は、出力回路１６から、管理端末２に出力される。
【００３３】
蛍光Ｘ線分析装置１の出力回路１６から出力する分析信号は、ＬＡＮを介して、管理端末２の入出力部２３に送ることができるが、近距離無線通信（ＩＥＥＥ８０２．１５１，１５４により規格化）または短距離無線通信（ＩＥＥＥ８０２．１１により規格化）を介して、管理端末２の入出力部２３に送ることもできる。この場合、近距離または短距離無線通信システムを、蛍光Ｘ線分析装置１及び管理端末２の入出力部に設けることになる。
【００３４】
管理端末２は、図３に示すように、端末の各種動作を実行するＣＰＵ２２を主要部として構成され、ＲＡＭ，ＲＯＭ等からなる記憶部２１、各種信号を入出力する入出力部２３を備える。また、文字、静止画、動画等を表示するディスプレイコントローラ２５及びディスプレイ２６、携帯電話通信網ＫＭの基地局との間で無線通信を行うＲＦ回路２８、インターフェイス部２７、アンテナシステム等を備え、携帯電話通信網ＫＭを介してインターネットＩＮに接続可能に構成される。
【００３５】
さらに、管理端末２には、カメラレンズ２４ｃを有したカメラ２４が設けられる。カメラ２４で撮影した画像信号は、撮像素子２４ａから撮像回路２４ｂに送られ、撮影した画像情報が記憶部２１の所定領域に一旦記憶される。このとき、管理端末２に画像認識の指令が入力された場合、ＣＰＵ２２は、その画像情報から、画像に記された文字、番号を判定するように自動画像認識処理を行う。これにより、汚泥を運搬する車両の運転者或いは担当者は、管理端末２のカメラ２４を操作して、車両の車両番号を撮影し、自動画像認識を行うことにより、当該車両の車両番号を、簡単に管理端末２に入力することができる。
【００３６】
上記のように、蛍光Ｘ線分析装置１によって分析された、車両積載の汚泥に含まれる有害金属の分析信号は、車両番号、積荷ＩＤとともに、管理端末２から携帯電話通信網ＫＭ、インターネットＩＮを介して、管理サーバ７に送信されるようになっている。なお、管理端末２のカメラ２４による車両番号の自動画像認識を行わない場合、車両の運転者或いは担当者が、手入力によって、車両番号を管理端末２に入力し、送信することもできる。
【００３７】
このように、管理端末２は、図３に示す如く、携帯型の携帯端末として構成されるが、非携帯型のパーソナルコンピュータ等から、管理端末２を構成することもできる。この場合、管理端末２の入出力部２３には、有線ＬＡＮ接続で、或いは近距離、短距離無線通信等の無線ＬＡＮを介して、インターネットＩＮが接続される。
【００３８】
上記のように、管理サーバ７がインターネットＩＮ上に設置され、建設現場から排出される建設汚泥の管理を行う。管理サーバ７は、図２に示すように、単独のコンピュータから構成されるが、クラウドサービスなどを用いて、複数の不特定多数のコンピュータを用いて構成することもできる。
【００３９】
図２に示す如く、管理サーバ７は、各種動作を実行するＣＰＵ７２を主要部として構成され、ＲＡＭ，ＲＯＭ等からなる記憶部７１、各種信号を入出力する入出力部７５を備える。記憶部７１には、この処理管理システムのデータベース８が含まれるが、記憶部７１とは別に、データベース８を設けることもできる。データベース８には、図５〜図８に示すように、車両・積荷データベース、運転者データベース、分析結果データベース、処理場データベース等が設けられる。
【００４０】
車両・積荷データベースには、図５に示す如く、車両端末３或いは管理端末２から送られた、積荷ＩＤ ，積載日時、車両番号、運転者ＩＤ、認可番号等が、各積荷について格納される。積荷ＩＤ及び積載日時は、車両端末３或いは管理端末２から荷積みを示す信号が送られた時点で、管理サーバ７において付され、格納することもできる。運転者データベースには、図６に示す如く、車両の運転者の運転者ＩＤ，氏名、会社名、ドライバコード、生年月日、住所などが格納される。
【００４１】
分析結果データベースには、図７に示すように、各積荷の積荷ＩＤについて、有害金属である、砒素（Ａｓ）、鉛（Ｐｂ）、カドニウム、水銀（Ｈｇ）等の含有量（汚泥の単位容積当りに含まれる重量ｍｇ）が格納される。これらの分析データは、蛍光Ｘ線分析装置１で検出され分析された、各積荷ＩＤについての分析結果であり、例えば、図７に示すように、積荷ＩＤ（Ａ０１２３）の汚泥に、砒素（Ａｓ）が６ｍｇ、鉛（Ｐｂ）が１２ｍｇ含まれる場合、当該積荷について、有害金属の含有量情報が格納される。
【００４２】
管理サーバ７のＣＰＵ７２は、汚染レベル判定手段７３として機能し、管理端末２から送信された蛍光Ｘ線分析装置１の検出信号（有害金属の含有量を示す分析信号）を受信し、検出信号の有害金属の含有量と予め設定された閾値（上限値、下限値）とを比較し、汚泥の汚染レベルを判定する。このために、その判定基準となる判定基準データテーブルが、図９に示すように構成され、予め記憶部７１に記憶される。
【００４３】
判定基準は、図９に示す如く、例えば、有害金属が砒素（Ａｓ）の場合、含有量Ｇが、Ｇ＞１５０ｍｇの場合、「大悪」とし、含有量Ｇが、１５０〜２６ｍｇの場合、「中悪」とし、含有量Ｇが、２５〜７ｍｇの場合、「小悪」とし、含有量Ｇが、Ｇ＜７ｍｇの場合、「基準内」とするように、汚泥の汚染レベルが設定される。また、有害金属が鉛（Ｐｂ）の場合、含有量Ｇが、Ｇ＞１５０ｍｇの場合、「大悪」とし、含有量Ｇが、１５０〜３０ｍｇの場合、「中悪」とし、含有量Ｇが、２９〜２０ｍｇの場合、「小悪」とし、含有量Ｇが、Ｇ＜２０ｍｇの場合、「基準内」とするように、汚泥の汚染レベルが設定される。
【００４４】
管理サーバ７のＣＰＵ７２は、汚染レベル判定手段７３が判定した汚泥の汚染レベルに基づき決定された汚泥の処理場を決定する処理場決定手段７４としても機能する。処理場決定手段７４は、例えば、汚泥が「大悪」と判定された場合、汚泥を再生処理（リサイクル処理）することなく、最終処分場に搬入するため、「最終処分場」と決定する。また、例えば、汚泥が「中悪」と判定された場合、汚泥を二次処理する前に一次処理を行うべく、「一次処理場」と決定し、例えば、汚泥が「小悪」と判定された場合、汚泥を二次処理のみ行うために「二次処理場」と決定する。また、汚泥が「基準内」と判定された場合も、同様に「二次処理場」と決定する。
【００４５】
ここで、一次処理は、汚泥の有害金属の含有量が比較的多い場合、汚泥に、特殊な重金属吸着材を水とともに加え、それを凝集反応槽から沈殿分離槽に入れ、有害金属を凝集させ且つ沈殿させ、処理汚泥から分離する。二次処理は、必要に応じてさらに凝集吸着材を加えて、処理物から有害金属を凝集、沈殿させて除去離した後、その処理物を水、砂、砂利、及び礫に分級し、リサイクル土として、鉱山の埋め戻し用に使用するように、再生処理（リサイクル処理）する。
【００４６】
二次処理を行う汚泥は、比較的汚染レベルの低い汚泥、或いは一次処理を行った後の汚泥である。一次処理及び二次処理で生成した沈殿汚泥は、含有量試験、溶出試験を行った後、適性に処分する。
【００４７】
このように、処理場決定手段７４が汚泥の汚染レベルに基づき決定された汚泥の処理場の情報は、図８に示すように、データベース８内の処理場データベースに、積荷ＩＤとともに、格納される。最終処分場、一次処理場、二次処理場が各々、複数個所にある場合、各々の処理場のＩＤ、各処理場の測位情報等の処理場情報が格納される。
【００４８】
また、処理場データベースには、積荷ＩＤ、処理場とともに、処理場に搬入した後に、入力される荷下日時、その車両の車両番号などが格納される。処理場決定手段７４が決定した処理場の情報は、管理サーバ７の入出力部７５から、インターネットＩＮ、携帯無線通信網ＫＭを介して、車両端末３に送信される。車両端末３は、処理場情報を入力したとき、そのディスプレイ３６に行き先の処理場情報を表示し、運転者に対し、積載積荷の汚泥を、何れの処分場或いは処理場に搬入するかの指示を出力するようになっている。
【００４９】
次に、上記処理管理システムを使用して実施する、建設汚泥の処理管理方法を、図１０、１１のフローチャートに基づき説明する。建設現場から排出された汚泥は、トラック等の車両に荷積みされる。
【００５０】
このとき、車両に設けた荷積・荷下検出器３４が荷積を検出し、検出信号を車両端末３に送る。車両端末３は、荷積みの完了信号を入力すると、図１０のステップ１００からステップ１１０に進み、汚泥の荷積を示す積荷信号を、その車両の車両番号、積載日時、運転者ＩＤ情報等とともに、管理サーバ７に送信する。このとき、車両端末３では、完全に自動的に積荷情報を、送信することができるが、荷積みの完了信号が入力されたとき、車両端末３のディスプレイ３６にその旨を示すアイコンを表示し、運転者がアイコンをタップしたとき、送信動作を行うようにしてもよい。
【００５１】
管理サーバ７は、ステップ１２０で、車両端末３から送信された積荷信号を受信すると、ステップ１３０で、その積荷情報に積荷ＩＤを付して、積載日時、車両番号、運転者ＩＤ等の情報を、データベース８の車両・積荷データベースに格納する。
【００５２】
汚泥を積載した車両は、一旦、現場事務所等の所定の施設に入り、そこで、積載重量を測定するとともに、担当者が、携帯型の蛍光Ｘ線分析装置１を用いて、積載された汚泥の蛍光Ｘ線分析を行う。なお、積載重量を測定し、蛍光Ｘ線分析を行う現場事業所等には、汚泥が排出される現場事業所のほか、汚泥処理業者の事業所も含まれる。
【００５３】
蛍光Ｘ線分析装置１は、Ｘ線源１１から発生する一次Ｘ線を、汚泥に照射し、Ｘ線の照射に伴い汚泥から発生する蛍光Ｘ線を、半導体検出器１２で検出する。半導体検出器１２から出力される検出信号は、前置増幅器１３、比例増幅器１４により増幅され、波高分析器１５に入力される。波高分析器１５は、入力した検出信号のスペクトルを分析し、スペクトルに含まれる有害金属の特有のスペクトル波形を抽出する。そのスペクトル波形の位置と波形レベルから、砒素、鉛等の有害金属とその含有量を示す分析信号を生成する。
【００５４】
その分析結果を示す分析信号は、出力回路１６から管理端末２の入出力部２３に入力される。分析結果は、例えば、汚泥中から砒素と鉛が検出された場合、砒素６ｍｇ／Ｌ、鉛１２ｍｇ／Ｌのように、有害金属とその含有量で作成される。管理端末２は、蛍光Ｘ線分析装置１から分析結果を含む検出信号を入力すると、図１１のステップ２００からステップ２１０に進み、その分析結果情報を、積荷情報（積荷ＩＤ，車両番号、積載日時等）とともに、管理サーバ７に送信する。なお、管理端末２を操作する担当者は、管理端末２のカメラを操作して、車両の車両番号（ナンバープレート）を撮影し、その画像データに基づき画像認識処理を行って、車両番号を管理端末２に取り込むことができる。
【００５５】
管理サーバ７は、管理端末２から送信された分析信号を、携帯無線通信網ＫＭ、インターネットＩＮを通して受信し（ステップ２２０）、次に、図１１のステップ２３０で、図７のように、データベース８の分析結果データベースに、それらの分析結果情報を格納する。
【００５６】
管理サーバ７は、次に、図１１のステップ２４０に進み、汚泥の汚染レベルを判定する。管理サーバ７のＣＰＵ７２は、記憶部７１に格納された判定基準データテーブル（図９）を参照して、汚染レベルの判定を行い、例えば、有害金属として、砒素が６ｍｇ／Ｌ、鉛が１２ｍｇ／Ｌ、含まれる場合、図７に示すように、「基準内」と判定し、判定結果をデータベース８内に格納する。
【００５７】
判定基準は、図９に示す如く設定され、例えば、有害金属が砒素（Ａｓ）の場合、含有量Ｇが、Ｇ＞１５０ｍｇの場合、「大悪」とし、含有量Ｇが、１５０〜２６ｍｇの場合、「中悪」とし、含有量Ｇが、２５〜７ｍｇの場合、「小悪」とするように、汚染レベルが判定される。また、有害金属が鉛（Ｐｂ）の場合、含有量Ｇが、Ｇ＞１５０ｍｇの場合、「大悪」とし、含有量Ｇが、１５０〜３０ｍｇの場合、「中悪」とし、含有量Ｇが、２９〜２０ｍｇの場合、「小悪」とするように、汚泥の汚染レベルが判定される。
【００５８】
次に、管理サーバ７は、図１１のステップ２５０で、この汚泥を積載する車両の行き先である、「処理場」を決定する。例えば管理サーバ７のＣＰＵ７２が、上記のように、汚染レベルが「基準内」であると判定した場合、行き先の処理場は、「二次処理場」と決定される。
【００５９】
一方、例えば、汚泥の汚染レベルが「大悪」と判定された場合、汚泥を再生処理（リサイクル処理）することなく、最終処分場に搬入するため、「最終処分場」と決定する。また、例えば、汚泥が「中悪」と判定された場合、汚泥を二次処理する前に一次処理を行うべく、「一次処理場」と決定し、例えば、汚泥が「小悪」と判定された場合、汚泥を二次処理のみ行うために「二次処理場」と決定する。なお、一次処理場で一次処理した後の汚泥の汚染レベルが悪い場合、そのための処理場に搬入して、再度処理する場合もある。
【００６０】
次に、管理サーバ７は、図１１のステップ２６０で、決定された「二次処理場」に基づき、当該汚泥を積載した車両が実際に搬入するべき処理場情報（例えば当該車両の位置から最短距離の二次処理場）を、車両端末３に送信する。処理場の情報は、インターネットＩＮ，携帯無線通信網ＫＭを通して、当該汚泥（積荷ＩＤの汚泥）を積載した車両の車両端末３に送られる。ステップ２７０で、車両端末３が処理場の情報を受信すると、車両端末３は、ステップ２８０で、その処理場の位置を、ディスプレイ２６の地図上に、表示する。
【００６１】
この後、車両の運転者は、ディスプレイ２６の地図上に表示される処理場を目的地として、車両を進めることとなる。この後、車両が処理場に到着し、積載された汚泥をそこで荷下しすると、荷下しが荷積・荷下検出器３４が検出され、車両端末３から荷下日時の情報が管理サーバ７に送信され、管理サーバ７は、荷下日時の情報を処理場データベースに書き込み、処理場に搬入された当該積荷ＩＤについての処理を終了する。
【００６２】
上記のように、汚泥の汚染レベルが「基準内」であれば、必要に応じてさらに凝集吸着材を加えて、処理物から有害金属を凝集、沈殿させて除去離した後、その処理物を水、砂、砂利、及び礫に分級し、リサイクル土として、鉱山の埋め戻し用に使用するように、再生処理（リサイクル処理）する。
【００６３】
一方、汚泥の汚染レベルが「中悪」の場合、汚泥の有害金属の含有量が比較的多いため、一次処理を行い、汚泥中に、特殊な重金属吸着材を水とともに加え、それを凝集反応槽から沈殿分離槽に入れ、有害金属を凝集させ且つ沈殿させ、処理汚泥から分離する。そして、その処理物に対しさらに二次処理を実施する。
【００６４】
このように、建設汚泥の処理管理システムは、建設現場から排出された建設汚泥を積載した車両が、汚泥分析の可能な場所に到着したとき、担当者が、携帯型の蛍光Ｘ線分析装置１を用いて、汚泥の有害金属の含有量を計測し、含有量の情報が管理端末２を通して管理サーバ７に送られる。管理サーバ７は、その汚染レベル判定手段が汚泥の有害金属の含有量に基づき、汚泥の汚染レベルを判定する。さらに、管理サーバ７の処理場決定手段が汚染レベルに基づき汚泥の処理場を決定し、その情報が車両端末３に送信され、汚泥を積載した車両は当該処理場に搬送する。これにより、建設汚泥中に含まれる有害物質の含有量に応じて、適正な処理場に、効率良く建設汚泥を搬入して、適正な処理を迅速に行うことができる。
【符号の説明】
【００６５】
１      蛍光Ｘ線分析装置
２      管理端末
３      車両端末
７      管理サーバ
８      データベース
１１    Ｘ線源
１２    半導体検出器
１３    前置増幅器
１４    比例増幅器
１５    波高分析器
１６    出力回路
２１    記憶部
２２    ＣＰＵ
２３    入出力部
２４    カメラ
２４ａ  撮像素子
２４ｂ  撮像回路
２４ｃ  カメラレンズ
２５    ディスプレイコントローラ
２６    ディスプレイ
２７    インターフェイス部
２８    ＲＦ回路
３１    記憶部
３２    ＣＰＵ
３３    入出力部
３４    荷積・荷下検出器
３５    ディスプレイコントローラ
３６    ディスプレイ
３７    ＧＰＳ測位部
３８    ＲＦ回路
３９    インターフェイス部
７１    記憶部
７２    ＣＰＵ
７３    汚染レベル判定手段
７４    処理場決定手段
７５    入出力部
【図１】
2020200180.tif 000003
【図２】
2020200180.tif 000004
【図３】
2020200180.tif 000005
【図４】
2020200180.tif 000006
【図５】
2020200180.tif 000007
【図６】
2020200180.tif 000008
【図７】
2020200180.tif 000009
【図８】
2020200180.tif 000010
【図９】
2020200180.tif 000011
【図１０】
2020200180.tif 000012
【図１１】
2020200180.tif 000013